(57)【要約】【課題】  従来よりもコンパクト、高効率な空気調和機を提供する。【解決手段】  前記した目的を達成するためには、箱状本体の前面空気吹出し方向に熱交換器を配置し、その後方略箱状本体中央部にターボファン及びターボファン駆動用ファンモータをターボファン空気吸込口を箱状本体下向きに配置する。更にターボファン及びファンモータを囲繞してターボファン用マウスリングを擁したケーシングを配置することでコンパクト化とを図ることができる。また、ターボファンの回転によりケーシングのマウスリングを介してターボファンに吸込まれる空気の吸込み方向を箱状本体の左右及び下方、後方を開閉可能な構造とすることで高風量による高効率化、更にはコンパクトのみならず据付場所の自由度が実現できる。【選択図】  図１
2006090615.tif 000002
【特許請求の範囲】
【請求項１】
少なくとも箱状の本体内に熱交換器とファンモータと同ファンモータにより駆動されるファンとを配置し、該ファンモータ及び該ファンを囲繞して該ファン用マウスリングを擁したケーシングを配置したダクト型空気調和機において、該ファンにターボファンを採用したことを特徴とする空気調和機。
【請求項２】
該空気調和機箱状の本体が前後左右及び下方に開閉可能な構造を成し、空気吹出し方向を前面とし、該箱状本体の該前面空気吹出し方向に熱交換器を配置したことを特徴とする請求項１記載の空気調和機。
【請求項３】
前面空気吹出し方向に配置した該熱交換器の後方に該箱状本体の略中央部にファンモータと該ファンモータにより駆動されるターボファンを該ターボファン空気吸込み部を該箱状本体下向きに配置したことを特徴とする請求項１または２記載の空気調和機。
【請求項４】
該ファンモータ及び該ターボファンを囲繞して配置した該ターボファン用マウスリングを擁したケーシングが該ターボファンの回転により該ケーシングのマウスリングを介して該ターボファンに吸込まれる空気の吸込み方向を該箱状本体の開閉可能な左右及び下方、後方からなる構造としたことを特徴とする請求項１〜３のいずれか１項記載の空気調和機。
【発明の詳細な説明】
【技術分野】
【０００１】
本発明は、ターボファンを搭載したダクト型空気調和機に関するものである。
【背景技術】
【０００２】
一般にダクト型空気調和機には例えば特開平５−２４８３９７号公報に示す様にシロッコファンが複数個ファンモータに連結し採用されていた。
【０００３】
だが近年に至ってはコンパクト化を図るという意義より特開平９−２０９９８８号公報に示す様にターボファン、ファンモータを各々２個組合せ採用されている。
【０００４】
【特許文献１】特開平５−２４８３９７号公報
【特許文献２】特開平９−２０９９８８号公報
【発明の開示】
【発明が解決しようとする課題】
【０００５】
ところが上記の様なターボファン、ファンモータを各々２個組合せ採用した空気調和機では一般的シロッコファン複数個ファンモータに連結した空気調和機に比べればコンパクト化されていたが据付対象場所が電算機室や機械室を考慮されており、それでいてターボファン、ファンモータを各々２個組合せ採用する為に大きな箱状本体（長手方向１０００ｍｍ、高さ方向６００ｍｍ、ターボファン外径４００ｍｍ）であった。言うなれば据付対象場所に一般家庭を考慮されていなかった。
【０００６】
本発明はターボファンを１個の採用で一般家庭向けに更にコンパクト（長手方向７５０ｍｍ以下、高さ方向３００ｍｍ以下、ターボファン外径３００ｍｍ以下）で高効率のダクト型空気調和機を提供することを目的とする。
【課題を解決するための手段】
【０００７】
本発明は上記課題を解決する為に箱状本体の前面空気吹出し方向に熱交換器を配置し、その後方略該箱状本体中央部にターボファン及び該ターボファン駆動用ファンモータを該ターボファン空気吸込口を該箱状本体下向きに配置する。更に該ターボファン及び該ファンモータを囲繞して該ターボファン用マウスリングを擁したケーシングを配置することでコンパクト化を図ることができる。
【０００８】
また本発明によれば該ターボファンの回転により該ケーシングのマウスリングを介して該ターボファンに吸込まれる空気の吸込み方向を該箱状本体の左右及び下方、後方を開閉可能な構造とすることで高風量による高効率化、更にはコンパクトのみならず据付場所の自由度が実現できる。
【発明の効果】
【０００９】
本発明によるダクト型空気調和機の構造であれば、据付場所に自由度があり、コンパクトで高効率の空気調和機を提供することができる。
【発明を実施するための最良の形態】
【００１０】
本発明における一実施例を図１ないし図２ないし図３ないし図４ないし図５を用いて説明する。
【００１１】
ここで図１は本発明の一実施例であるダクト型空気調和機の概略下視図である。
【００１２】
図２は本発明の一実施例であるダクト型空気調和機の概略側面透視図である。
【００１３】
図３は本発明の一実施例であるダクト型空気調和機の概略背面透視図である。
【００１４】
図４は本発明の一実施例であるファンモータのハウジングが略納めることが可能なターボファンの吸込み反対側からの概略斜視図である。
【００１５】
図５は本発明の一実施例であるファンモータのハウジングが略納めることが可能なターボファンの吸込み側からの概略斜視図である。
【００１６】
図で示す様に１は前後左右及び下方を開閉可能な箱状本体、２は熱交換器、３はファンモータ、４はファンモータ３との取り付け時省スペース化を考慮し、空気吸込み部(４Ａ)反対側をファン性能を減少させないでファンモータ３のハウジングが略納めることができる様にラウンド形状が施されたターボファン、５はファンモータ３及びターボファン４を囲繞して配置したターボファン４用のマウスリングを擁したケーシングである。前記熱交換器２は前記箱状本体１の前面となる空気吹出し口(１Ａ)方向に配置され、前記ターボファン４、ファンモータ３は箱状本体１の中央部にターボファン４の空気吸込み部(４Ａ)が下方となる様に熱交換器２の後方に配置され、前記ケーシング５はファンモータ３及びターボファン４を囲繞して配置される。ファンモータ３により駆動されるターボファン４の回転によりケーシング５のマウスリングを介してターボファン４に吸込まれた空気はターボファン４より吹出されケーシング５のラウンド形状を伝って熱交換器２へ吹き付けられ箱状本体１前面部吹出し口(１Ａ)より送出される。ターボファン４が吸込む空気は箱状本体１の開閉可能な左(１Ｄ)または右(１Ｂ)または下方(１Ｅ)または後方(１Ｃ)の何れかまたは何れかの組合せまたは全ての位置にすることが可能である。
【図面の簡単な説明】
【００１７】
【図１】本発明の一実施例であるダクト型空気調和機の概略下視図である。
【図２】本発明の一実施例であるダクト型空気調和機の概略側面透視図である。
【図３】本発明の一実施例であるダクト型空気調和機の概略背面斜視図である。
【図４】本発明の一実施例であるファンモータのハウジングが略納めることが可能なターボファンの吸込み反対側からの概略斜視図である。
【図５】本発明の位置実施例であるファンモータのハウジングが略収めることが可能なターボファンの吸込み側からの概略斜視図である。
【符号の説明】
【００１８】
１…前後左右及び下方が開閉可能な箱状本体、１Ａ…前面空気吹出し口、１Ｂ…右側面空気吸込み口、１Ｃ…後方空気吸込み口、１Ｄ…左側面空気吸込み口、１Ｅ…下方空気吸込み口、２…熱交換器、３…ファンモータ、４…ターボファン、４Ａ…ターボファン空気吸込み口、５…ケーシング。
【図１】
2006090615.tif 000003
【図２】
2006090615.tif 000004
【図３】
2006090615.tif 000005
【図４】
2006090615.tif 000006
【図５】
2006090615.tif 000007